(57)【特許請求の範囲】
【請求項１】
受信した符号化音声情報をフレーム単位で復号化する通信装置であって、
前記フレーム単位の符号化音声情報の伝送路誤りを検出する検出手段と、
前記フレーム単位の符号化音声情報が有音区間であるか否かを判別及び又は推定する判別・推定手段と、
前記検出手段により伝送路誤りが検出され、且つ、前記判別・推定手段により有音区間であると判別及び又は推定された前記フレーム単位の符号化音声情報について、前記フレームに対応する時間内に送信側へ再送要求を行う再送要求手段と、
を有することを特徴とする通信装置。
【請求項２】
前記判別・推定手段は、前記フレーム単位の符号化音声情報に対応する音量が予め定められた閾値を超えた場合に、前記フレーム単位の符号化音声情報が有音区間であると判別及び又は推定することを特徴とする請求項１に記載の通信装置。
【請求項３】
前記判別・推定手段は、既に受信した前記伝送路誤りのない前記フレーム単位の符号化音声情報に対応する音量に基づいて、新たに受信した前記フレーム単位の符号化音声情報が有音区間であるか否かを判別及び又は推定することを特徴とする請求項１又は２に記載の通信装置。
【請求項４】
前記再送要求手段は、前記フレームに対応する時間内に未使用の無線リソースが存在する場合に、再送要求を行うことを特徴とする請求項１乃至３のいずれかに記載の通信装置。
【請求項５】
受信した符号化音声情報をフレーム単位で復号化する通信方法であって、
前記フレーム単位の符号化音声情報の伝送路誤りを検出する検出ステップと、
前記フレーム単位の符号化音声情報が有音区間であるか否かを判別及び又は推定する判別・推定ステップと、
前記検出ステップにおいて伝送路誤りが検出され、且つ、前記判別・推定手段において有音区間であると判別及び又は推定された前記フレーム単位の符号化音声情報について、前記フレームに対応する時間内に送信側へ再送要求を行う再送要求ステップと、
を有することを特徴とする通信方法。
【請求項６】
前記判別・推定ステップは、前記フレーム単位の符号化音声情報に対応する音量が予め定められた閾値を超えた場合に、前記フレーム単位の符号化音声情報が有音区間であると判別及び又は推定することを特徴とする請求項５に記載の通信方法。
【請求項７】
前記判別・推定ステップは、既に受信した前記伝送路誤りのない前記フレーム単位の符号化音声情報に対応する音量に基づいて、新たに受信した前記フレーム単位の符号化音声情報が有音区間であるか否かを判別及び又は推定することを特徴とする請求項５又は６に記載の通信方法。
【請求項８】
前記再送要求ステップは、前記フレームに対応する時間内に未使用の無線リソースが存在する場合に、再送要求を行うことを特徴とする請求項５乃至７のいずれかに記載の通信方法。
【発明の詳細な説明】
【技術分野】
【０００１】
本発明は、受信した符号化音声情報をフレーム単位で復号化する通信装置及び通信方法に関する。
【背景技術】
【０００２】
無線通信において、音声を符号化して伝送することが広く行われている。例えば、ＶｏＩＰ（Voice over Internet Protocol）において音声符号化方式として採用されているＩＴＵ−Ｔ勧告のＧ．７２９やＧ．７２３等では、２０ｍｓ又は４０ｍｓの周期で音声の符号化が行われる。
【０００３】
このような音声無線通信では、伝送路誤りの発生が音声品質の劣化に大きな影響を与える。このため、例えば、特許文献１では、符号化音声情報をフレーム単位で復号化する無線通信装置において、伝送路誤りが発生した場合に、音声符号化方式が規定するエラーフレーム処理に加えて、エラーレートの時間的な変化を加味してエラーフレーム処理に反映させることにより音声品質の劣化を抑える技術が開示されている。
［特許文献１］  特開平１０−６９２９８号公報
【発明の開示】
【発明が解決しようとする課題】
【０００４】
しかしながら上述した従来の技術では、符号化音声情報には有音区間と無音区間とが存在するという、音声符号化の特質が考慮されておらず、効率的な音声の無線通信が行われていない。
【０００５】
本発明は、上述したような問題点を解決するためになされたものであり、本発明の目的は、効率的な音声通信を可能とした通信装置及び通信方法を提供することにある。
【課題を解決するための手段】
【０００６】
本発明は、受信した符号化音声情報をフレーム単位で復号化する通信装置であって、前記フレーム単位の符号化音声情報の伝送路誤りを検出する検出手段と、前記フレーム単位の符号化音声情報が有音区間であるか否かを判別及び又は推定する判別・推定手段と、前記検出手段により伝送路誤りが検出され、且つ、前記判別・推定手段により有音区間であると判別及び又は推定された前記フレーム単位の符号化音声情報について、前記フレームに対応する時間内に送信側へ再送要求を行う再送要求手段とを有する。
【０００７】
この構成により、フレーム単位の符号化音声情報において伝送路誤りが検出されても、そのフレーム単位の符号化音声情報が無音区間である場合には、音声の復元には不要な情報であるため、再送要求は行われない。従って、再送を必要最小限に抑え、効率的な音声通信が可能となる。
【０００８】
また、本発明は、前記判別・推定手段が、前記フレーム単位の符号化音声情報に対応する音量が予め定められた閾値を超えた場合に、前記フレーム単位の符号化音声情報が有音区間であると判別及び又は推定する。
【０００９】
また、本発明は、前記判別・推定手段が、既に受信した前記伝送路誤りのない前記フレーム単位の符号化音声情報に対応する音量に基づいて、新たに受信した前記フレーム単位の符号化音声情報が有音区間であるか否かを判別及び又は推定する。
【００１０】
また、本発明は、前記再送要求手段が、前記フレームに対応する時間内に未使用の無線リソースが存在する場合に、再送要求を行う。
【００１１】
また、本発明は、受信した符号化音声情報をフレーム単位で復号化する通信方法であって、前記フレーム単位の符号化音声情報の伝送路誤りを検出する検出ステップと、前記フレーム単位の符号化音声情報が有音区間であるか否かを判別及び又は推定する判別・推定ステップと、前記検出ステップにおいて伝送路誤りが検出され、且つ、前記判別・推定手段において有音区間であると判別及び又は推定された前記フレーム単位の符号化音声情報について、前記フレームに対応する時間内に送信側へ再送要求を行う再送要求ステップとを有する。
【００１２】
また、本発明は、前記判別・推定ステップが、前記フレーム単位の符号化音声情報に対応する音量が予め定められた閾値を超えた場合に、前記フレーム単位の符号化音声情報が有音区間であると判別及び又は推定する。
【００１３】
また、本発明は、前記判別・推定ステップが、既に受信した前記伝送路誤りのない前記フレーム単位の符号化音声情報に対応する音量に基づいて、新たに受信した前記フレーム単位の符号化音声情報が有音区間であるか否かを判別及び又は推定する。
【００１４】
また、本発明は、前記再送要求ステップが、前記フレームに対応する時間内に未使用の無線リソースが存在する場合に、再送要求を行う。
【発明の効果】
【００１５】
本発明によれば、フレーム単位の符号化音声情報において伝送路誤りが検出されても、そのフレーム単位の符号化音声情報が無音区間である場合には、再送は行われず、効率的な音声通信が可能となる。
【発明を実施するための最良の形態】
【００１６】
図１は、本発明に係る通信装置を適用した通信システムの構成を示す図である。
【００１７】
図１における通信システムは、ＰＨＳ（Personal Handyphone System）の通信システムであり、本発明に係る通信装置としての基地局装置１００、端末２００、及び、これら基地局装置１００と端末２００との通信の媒介を行うワイヤレス通信路３００により構成される。なお、図１では、１つの端末２００のみが表されているが、基地局装置１００は、複数の端末２００と通信を行うことが可能である。
【００１８】
基地局装置１００は、下位レイヤ処理部１０１、誤り検出部１０２、音声符号化パラメータ格納レジスタ１０３、有音・無音判別部１０４、再送要求判別部１０５、エラーフレーム処理部１０６及び音声復号化部１０７を有する。一方、端末２００は、音声符号化部２０１、ヘッダ付加部２０２、下位レイヤ処理部２０３及び再送制御部２０４を有する。
【００１９】
図１における通信システムでは、ＴＤＤ−ＴＤＭＡ方式の音声符号化方式を改善して、ＶｏＩＰと共用可能な音声符号化方式が採用されており、通話の収容量の増加が図られている。具体的には、通信システムにおいて、各端末２００との間の送信と受信とが５ｍｓ周期で繰り返される物理レイヤ構造が採用されている。基地局装置１００と端末２００との間の通信において、伝送路誤りが発生した場合には、２０ｍｓ以内にデータの再送によるエラー補償が行われれば、通信品質は高く維持される。
【００２０】
このような通信品質維持のため、端末２００は、音声をフレーム時間である２０ｍｓ毎に符号化し、更にヘッダを付加した上で、２０ｍｓの音声に対応する符号化音声フレームデータを生成する。そして、端末２００は、この符号化音声フレームデータを２０ｍｓ内に５ｍｓ毎に存在する逆方向通信（端末２００から基地局装置１００へ向かう方向の通信）用のタイムスロットのうちの１つを使用して基地局装置１００へ送信する。
【００２１】
基地局装置１００は、受信した符号化音声フレームデータに伝送路誤りがあり、且つ、その符号化音声フレームデータが有音区間に対応するものである場合には、その符号化音声フレームデータに対応するフレーム時間である２０ｍｓ以内に端末２００に対して、２０ｍｓ内に５ｍｓ毎に存在する順方向通信（基地局装置１００から端末２００へ向かう方向の通信）用のタイムスロットのうちの１つを使用して、再送要求としてのＮＡＫを返送し、端末２００に符号化音声フレームデータの再送を行わせる。一方、基地局装置１００は、受信した符号化音声フレームデータに伝送路誤りがない場合、あるいは、伝送路誤りがあるものの、その符号化音声フレームデータが有音区間に対応するものでない場合には、端末２００に対して、順方向通信用のタイムスロットのうちの１つを使用して、正常に受信した旨の通知としてのＡＣＫを返送する。
【００２２】
図２は、基地局装置１００（ＢＳ）と端末２００（通信呼ＣＡＬＬ１に対応するＭＳα、通信呼ＣＡＬＬ２に対応するＭＳβ、通信呼ＣＡＬＬ３に対応するＭＳγ）とのやり取りの一例を示す図である。２０ｍｓのフレーム時間を有するフレームは、５ｍｓ毎に分割され、第１乃至第４の５ｍｓフレームとなり、これら各５ｍｓフレームが基地局装置１００によって各端末２００に割り当てられる。２０ｍｓ／５ｍｓであるため、５ｍｓフレームは、最大で４つの端末２００に割り当てることが可能であるが、ここでは、第１乃至第３の５ｍｓフレームが３つの端末２００（ＭＳα、β、γ）に割り当てられ、残りの第４の５ｍｓフレームは、再送用として予約されている。
【００２３】
各５ｍｓフレームは、更に、８つのタイムスロットに分割されている。これら８つのタイムスロットのうち、前半の４つは逆方向通信用のタイムスロットであり、後半の４つは順方向通信用のタイムスロットである。端末２００において低ビットレートの音声符号化が行われる場合には、４つの逆方向通信用のタイムスロットが全て使用される必要はない。図２では、例えば、ＭＳαからＢＳへの逆方向通信に際して１つの逆方向通信用のタイムスロット（１ＲＬ）のみが使用される。
【００２４】
ここでは、逆方向通信用のタイムスロットと順方向通信用のタイムスロットの関係が重要である。ＴＤＤ方式の利点としては、逆方向通信用のタイムスロットと順方向通信用のタイムスロットが同一の周波数であることにより、基地局装置１００は、逆方向通信用のタイムスロットを使用した通信における端末２００の最適化した指向性をそのまま順方向通信用のタイムスロットを使用した通信に適用することが可能となる。なお、通信品質の確保のためには、逆方向通信用のタイムスロットと順方向通信用のタイムスロットは、時間的に近接している必要があり、本発明者の経験では、逆方向通信用のタイムスロットと順方向通信用のタイムスロットとが５ｍｓ以内に収まることが望ましい。
【００２５】
以下、フローチャートを参照しつつ、基地局装置１００及び端末２００の動作を説明する。
【００２６】
図３は、基地局装置１００の動作を示すフローチャートである。基地局装置１００内の下位レイヤ処理部１０１は、端末２００から当該端末２００に割り当てられた５ｍｓフレームにおける逆方向通信用のタイムスロットを使用して送信される符号化音声フレームデータを、ワイヤレス通信路３００を介して受信する（Ｓ１０１）。下位レイヤ処理部１０１によって受信された符号化音声フレームデータは、誤り検出部１０２へ送られる。
【００２７】
誤り検出部１０２は、符号化音声フレームデータについて巡回冗長検査（ＣＲＣ：Cyclic Redundancy Check）等を行うことにより、当該符号化音声フレームデータに伝送路誤りがあるか否かを判定する（Ｓ１０２）。符号化音声フレームデータに伝送路誤りがある場合、誤り検出部１０２は、その旨の通知を再送要求判別部１０５へ送るとともに、符号化音声フレームデータを、音声符号化パラメータ格納レジスタ１０３を介して有音・無音判別部１０４へ送る。
【００２８】
有音・無音判別部１０４は、入力した符号化音声フレームデータが有音区間であるか否かを判別する（Ｓ１０３、Ｓ１０４）。具体的には、有音・無音判別部１０４は、入力した符号化音声フレームデータよりも以前に受信された符号化音声フレームデータのうち、伝送路誤りのない最新の符号化音声フレームデータに対応する音量のパラメータを音声符号化パラメータ格納レジスタ１０３から読み出す。そして、有音・無音判別部１０４は、その音量のパラメータが予め定められた閾値を超えた場合には、入力した符号化音声フレームデータが有音区間であるとみなす。ここで、音量のパラメータとは、音声フレームのトータルエネルギーに関連したパラメータ若しくはピッチゲインのパラメータである。符号化音声フレームデータが有音区間である場合、有音・無音判別部１０４は、その旨の通知と符号化音声フレームデータとを再送要求判別部１０５へ送る。なお、有音・無音判別部１０４に代えて、有音・無音推定部を備え、当該有音・無音推定部が何らかの情報に基づいて、入力した符号化音声フレームデータが有音区間であるか否かを推定するようにしてもよい。
【００２９】
再送要求判別部１０５は、有音・無音判別部１０４からの符号化音声フレームデータが有音区間である旨の通知とを受けると、再送用の無線リソースを確認し、その再送用の無線リソースが空いているか否かを判定する（Ｓ１０５、Ｓ１０６）。図２に示すように、再送用として予約された５ｍｓフレーム（再送用５ｍｓフレーム）は、複数の端末２００からの符号化音声フレームデータの再送に共用される。従って、再送用５ｍｓフレームが既に他の端末２００における再送に割り当てられている場合があり、この場合は、空いていない状態となる。
【００３０】
再送用の無線リソース、換言すれば、再送用５ｍｓフレームに空きがある場合、再送要求判別部１０５は、符号化音声フレームデータの送信元である端末２００に割り当てられた５ｍｓフレームにおける順方向通信用のタイムスロットを使用して、下位レイヤ処理部１０１及びワイヤレス通信路３００を介して、当該端末２００に対して再送要求としてのＮＡＫを返送する（Ｓ１０７）。
【００３１】
その後、下位レイヤ処理部１０１は、端末２００から再送用５ｍｓフレームにおける逆方向通信用のタイムスロットを使用して再送される符号化音声フレームデータを、ワイヤレス通信路３００を介して受信する（Ｓ１０８）。下位レイヤ処理部１０１によって受信された符号化音声フレームデータは、誤り検出部１０２へ送られる。
【００３２】
誤り検出部１０２は、この再送された符号化音声フレームデータに伝送路誤りがあるか否かを判定する（Ｓ１０９）。符号化音声フレームデータに伝送路誤りがある場合、誤り検出部１０２は、その旨の通知を再送要求判別部１０５へ送るとともに、符号化音声フレームデータをエラーフレーム処理部１０６へ送る。
【００３３】
再送要求判別部１０５は、誤り検出部１０２からの符号化音声フレームデータに伝送路誤りを検出した旨の通知を受けると、再送用５ｍｓフレームにおける順方向通信用のタイムスロットを使用して、符号化音声フレームデータの送信元の端末２００に対して受信が失敗した旨の通知としてのＮＡＫを返送する（Ｓ１１０）。
【００３４】
エラーフレーム処理部１０６は、誤り検出部１０２からの符号化音声フレームデータに対して、音声符号化方式が規定するエラーフレーム処理を行う（Ｓ１１１）。例えば、エラーフレーム処理部１０６は、入力した符号化音声フレームデータよりも以前に受信された符号化音声フレームデータの再利用等を行う。エラーフレーム処理がなされた符号化音声フレームデータは、音声復号化部１０７へ送られる。
【００３５】
再送要求判別部１０５は、エラーフレーム処理部１０６によるエラーフレーム処理の後、再送用５ｍｓフレームにおける順方向通信用のタイムスロットを使用して、符号化音声フレームデータの送信元の端末２００に対して正常に受信処理が完了した旨のＡＣＫを返送する（Ｓ１１２）。その後、音声復号化部１０７は、入力した符号化音声フレームデータの復号化を行う（Ｓ１１３）。
【００３６】
また、Ｓ１０９において、符号化音声フレームデータに伝送路誤りがないと判定した場合、誤り検出部１０２は、その旨の通知を再送要求判別部１０５へ送るとともに、符号化音声フレームデータを、エラーフレーム処理部１０６を介して音声復号化部１０７へ送る。再送要求判別部１０５は、符号化音声フレームデータに伝送路誤りがない旨の通知を受けると、再送用５ｍｓフレームにおける順方向通信用のタイムスロットを使用して、符号化音声フレームデータの送信元の端末２００に対して正常に受信処理が完了した旨のＡＣＫを返送する（Ｓ１１２）。その後、音声復号化部１０７は、入力した符号化音声フレームデータの復号化を行う（Ｓ１１３）。
【００３７】
また、Ｓ１０６において、再送用の無線リソースが空いていないと判定した場合、再送要求判別部１０５は、有音・無音判別部１０４からの符号化音声フレームデータをエラーフレーム処理部１０６へ送る。エラーフレーム処理部１０６は、再送要求判別部１０５からの符号化音声フレームデータに対して、エラーフレーム処理を行う（Ｓ１１１）。そして、再送要求判別部１０５は、エラーフレーム処理部１０６によるエラーフレーム処理の後、符号化音声フレームデータの送信元の端末２００に割り当てられた５ｍｓフレームにおける順方向通信用のタイムスロットを使用して、当該端末２００に対して正常に受信処理が完了した旨のＡＣＫを返送する（Ｓ１１２）。その後、音声復号化部１０７は、エラーフレーム処理部１０６からの符号化音声フレームデータの復号化を行う（Ｓ１１３）。
【００３８】
また、Ｓ１０４において、符号化音声フレームデータが有音区間でないと判定した場合、有音・無音判別部１０４は、その旨の通知と符号化音声フレームデータとを再送要求判別部１０５へ送る。再送要求判別部１０５は、この通知を受けると、符号化音声フレームデータをエラーフレーム処理部１０６へ送る。その後、エラーフレーム処理部１０６は、符号化音声フレームデータに対して、エラーフレーム処理を行う（Ｓ１１１）。そして、再送要求判別部１０５は、エラーフレーム処理部１０６によるエラーフレーム処理の後、符号化音声フレームデータの送信元の端末２００に割り当てられた５ｍｓフレームにおける順方向通信用のタイムスロットを使用して、当該端末２００に対して正常に受信処理が完了した旨のＡＣＫを返送する（Ｓ１１２）。その後、音声復号化部１０７は、エラーフレーム処理部１０６からの符号化音声フレームデータの復号化を行う（Ｓ１１３）。
【００３９】
また、Ｓ１０２において、符号化音声フレームデータに伝送路誤りがないと判定した場合、誤り検出部１０２は、その旨の通知を再送要求判別部１０５へ送るとともに、符号化音声フレームデータを、エラーフレーム処理部１０６を介して音声復号化部１０７へ送る。再送要求判別部１０５は、符号化音声フレームデータに伝送路誤りがない旨の通知を受けると、再送用５ｍｓフレームにおける順方向通信用のタイムスロットを使用して、符号化音声フレームデータの送信元の端末２００に対して正常に受信処理が完了した旨のＡＣＫを返送する（Ｓ１１２）。その後、音声復号化部１０７は、入力した符号化音声フレームデータの復号化を行う（Ｓ１１３）。
【００４０】
図３は、端末２００の動作を示すフローチャートである。端末２００内の音声符号化部２０１は、音声をフレーム時間である２０ｍｓ毎に符号化し、符号化音声データを生成する（Ｓ２０１）。符号化音声データは、ヘッダ付加部２０２へ送られる。
【００４１】
ヘッダ付加部２０２は、この音声符号化データにヘッダを付加して、符号化音声フレームデータを生成する（Ｓ２０２）。生成された符号化データは、下位レイヤ処理部２０３へ送られる。
【００４２】
下位レイヤ処理部２０３は、端末２００に割り当てられた５ｍｓフレームにおける順方向通信用のタイムスロットを使用して符号化音声フレームデータを、ワイヤレス通信路３００を介して基地局装置１００へ送信する（Ｓ２０３）。符号化音声フレームデータを受信した基地局装置１００は、図３におけるＳ１０１乃至Ｓ１１３の処理を行う。
【００４３】
その後、下位レイヤ処理部２０３は、基地局装置１００から端末２００に割り当てられた５ｍｓフレームにおける順方向通信用のタイムスロットを使用して送信されるデータを受信する（Ｓ２０４）。ここで受信されるデータは、図３におけるＳ１０７において基地局装置１００から端末２００へ返送されるＮＡＫ、あるいは、Ｓ１１２において基地局装置１００から端末２００へ返送されるＡＣＫを含んでいる。受信されたデータは、再送制御部２０４へ送られる。
【００４４】
再送制御部２０４は、順方向通信用のタイムスロットを使用して送信されたデータに含まれるＡＣＫ、ＮＡＫの判別を行い、ＮＡＫであるか否かを判定する（Ｓ２０５、Ｓ２０６）。データにＡＣＫが含まれている場合には、一連の動作が終了する。
【００４５】
一方、データにＮＡＫが含まれている場合には、再送制御部２０４は、下位レイヤ処理部２０３に対して再送を指示する。下位レイヤ処理部２０３は、この指示に従って、Ｓ２０３において送信した符号化音声フレームデータを、再送用５ｍｓフレームにおける逆方向通信用のタイムスロットを使用して、基地局装置１００へ再送する（Ｓ２０７）。
【００４６】
その後、下位レイヤ処理部２０３は、基地局装置１００から再送用５ｍｓフレームにおける順方向通信用のタイムスロットを使用して送信されるデータを受信する（Ｓ２０８）。ここで受信されるデータは、図３におけるＳ１１０において基地局装置１００から端末２００へ返送されるＮＡＫ、あるいは、Ｓ１１２において基地局装置１００から端末２００へ返送されるＡＣＫを含んでいる。受信されたデータは、再送制御部２０４へ送られる。
【００４７】
再送制御部２０４は、順方向通信用のタイムスロットを使用して送信されたデータに含まれるＡＣＫ、ＮＡＫの判別を行い（Ｓ２０９）、ＮＡＫであるか否かを判定する（Ｓ２１０）。データにＡＣＫが含まれている場合には、一連の動作が終了する。一方、データにＮＡＫが含まれている場合には、再送制御部２０４は、保持している逆方向通信のエラー数のカウント値に１を加える（Ｓ２１１）。その後、単位時間当たりのカウント値が予め定められた閾値を超えたような場合には、再送制御部２０４は、再送を中断したり、ビットレートを更に低くして再送を行う等の制御を行うことができる。
【００４８】
このように、本発明に係る通信装置としての基地局装置１００は、端末２００からの符号化音声フレームデータに伝送路誤りがあり、且つ、その符号化音声フレームデータが有音区間に対応するものである場合には、その符号化音声フレームデータに対応するフレーム時間である２０ｍｓ以内に端末２００に対して、再送用５ｍｓフレームにおける順方向通信用のタイムスロットを使用して、再送要求としてのＮＡＫを返送し、端末２００に符号化音声フレームデータの再送を行わせる。
【００４９】
従って、符号化音声フレームデータに伝送路誤りが検出されても、その符号化音声フレームデータが無音区間である場合には、音声の復元には不要な情報であるため、再送要求は行われない。従って、再送を必要最小限に抑え、処理負担の軽減や無線リソースの効率的な利用を図った音声通信が可能となる。
【００５０】
なお、上述した実施形態では、再送用５ｍｓフレームが予め予約されているが、通信システム全体のトラフィック量が増加し、予め定められた閾値を超えるような場合には、基地局装置１００は、再送用５ｍｓフレームについても端末２００に割り当てるようにし、再送制御を一時中断するようにしてもよい。
【００５１】
また、上述した実施形態では、端末２００から基地局装置１００へ送られる符号化音声フレームデータの伝送について説明したが、基地局装置１００から端末２００へのデータ伝送、更には、２つの通信装置間の伝送にも、同様に本発明を適用することができる。
【産業上の利用可能性】
【００５２】
以上、説明したように、本発明に係る通信装置及び通信方法は、効率的な音声通信が可能であり、通信装置及び通信方法として有用である。
【図面の簡単な説明】
【００５３】
【図１】通信システムの構成図である。
【図２】基地局装置と端末とのやり取りの一例を示す図である。
【図３】基地局装置の動作を示すフローチャートである。
【図４】端末の動作を示すフローチャートである。
【符号の説明】
【００５４】
１００  基地局装置、１０１  下位レイヤ処理部、１０２  誤り検出部、１０３  音声符号化パラメータ格納レジスタ、１０４  有音・無音判別部、１０５  再送要求判別部、１０６  エラーフレーム処理部、１０７  音声復号化部、２００  端末、２０１  音声符号化部、２０２  ヘッダ付加部、２０３  下位レイヤ処理部、２０４  再送制御部。
【図１】
0004753668.tif 000002
【図２】
0004753668.tif 000003
【図３】
0004753668.tif 000004
【図４】
0004753668.tif 000005